(57)【特許請求の範囲】
【請求項１】
上部に注液口を備え、
下部に、伸縮性のダイアフラム、前記ダイアフラムと一部が接触した状態で前記ダイアフラムを支持する非伸縮性のダイアフラム支持部材、前記ダイアフラムの可動範囲を規制する上限板及び底蓋を備えた注液ボトルであって、
前記ダイアフラムは、内部の液体が保持可能なように、前記下部の全面に設けられ、
前記底蓋には、前記ダイアフラム及び前記ダイアフラム支持部材の位置を調整するための調整ネジが設けられ、
前記上限板には、液体が流通可能な貫通孔が設けられており、
前記上限板の前記ダイアフラム側には、吐出液量を変更するための円筒部材が少なくとも一つ配設され、
前記ダイアフラム支持部材は、その縁部の直径が前記円筒部材の直径よりも小さいことを特徴とする注液ボトル。
【請求項２】
前記底蓋には、空気孔が設けられている請求項１に記載の注液ボトル。
【発明の詳細な説明】
【技術分野】
【０００１】
本発明は、注液ボトルに関する。
【背景技術】
【０００２】
従来より、プラスチック製のボトルなどにおいて、ボトル内の液体の必要量を計量して注液する、所謂、注液ボトルと言われるものが種々考案されている。
特許文献１に記載の注液ボトルは、上部にはノズル状の注液口を有する上蓋が設けられ、底部には伸縮性のあるプラスチックフィルム又はダイアフラムを装着した底蓋が設けられ、前記底蓋には、さらに空気穴が設けられるとともに、前記プラスチックフィルム又は前記ダイアフラムにより、前記空気穴に連通した前記注液ボトル内部の空気層と前記液体とが分離されていることを特徴としている。
【０００３】
特許文献１に記載の注液ボトルでは、注液ボトルの注液口を下に向けて、他の容器等に注液する際、注液ボトルから一定量の液体が排出されるとプラスチックフィルム又はダイアフラムが一定量伸び、注液ボトル内部の空気の圧力低下によるプラスチックフィルム又はダイアフラムを引っ張る力と釣り合い、注液がストップする。このため、所定量の注液が可能である。
【先行技術文献】
【特許文献】
【０００４】
【特許文献１】特開２０１４−１４１２７５号公報
【発明の概要】
【発明が解決しようとする課題】
【０００５】
しかしながら、特許文献１に記載の注液ボトルでは、注液ボトルをほぼ逆さにして注液するので、注液ボトルの内部の液量（液の重さ）が、注液量に大きく影響し、注液ボトルの内部に残留する液体の量が少なくなるに従って、液の重さが軽くなってしまい、注液量が少なくなってしまうという問題があった。
【０００６】
本発明は、これらの問題を解決するためになされたものであり、計量カップ等を用いることなく、比較的簡単な構造で、一定量の液を自動的に正確に注液できる注液ボトルを提供することを目的とする。
【課題を解決するための手段】
【０００７】
すなわち、本発明の注液ボトルは、上部に注液口を備え、下部に、伸縮性のダイアフラム、上記ダイアフラムと一部が接触した状態で上記ダイアフラムを支持する非伸縮性のダイアフラム支持部材、上記ダイアフラムの可動範囲を規制する上限板及び底蓋を備えた注液ボトルであって、上記ダイアフラムは、内部の液体が保持可能なように、上記下部の全面に設けられ、上記底蓋には、上記ダイアフラム及び上記ダイアフラム支持部材の位置を調整するための調整ネジが設けられ、上記上限板には、液体が流通可能な貫通孔が設けられていることを特徴とする。
【０００８】
本発明の注液ボトルでは、上記注液ボトルにより注液するために傾けると、上記ダイアフラム支持部材を介して支持された上記ダイアフラムが液の重量により移動するが、上限板が存在するためダイアフラムは上記上限板まで移動するとストップする。このように注液の際、上記ダイアフラム支持部材を介して支持された上記ダイアフラムが上記上限板まで所定の距離移動することにより、決まった量の液体を吐出することができる。また、伸縮性の上記ダイアフラムは、非伸縮性のダイアフラム支持部材により支持されているため、上記ダイアフラムの伸縮態様が変化して液の吐出量が変わることはなく、注液の際、常に決まった量の液体を注液することができる。
【０００９】
また、底蓋には、ダイアフラム及びダイアフラム支持部材の位置を調整するための調整ネジが設けられているので、上記調整ネジによりダイアフラム及びダイアフラム支持部材の位置を調整することにより、上記ダイアフラムの動く範囲が変化し、注液量を調整することができる。
【００１０】
本発明の注液ボトルにおいては、上記上限板の上記ダイアフラム側には、吐出液量を調整するための円筒部材が少なくとも一つ配設され、上記ダイアフラム支持部材は、その縁部の直径が上記円筒部材の直径よりも小さいことが望ましい。
【００１１】
本発明の注液ボトルにおいて、上記のように上限板に円筒部材が配設され、ダイアフラムの直径が円筒部材の直径よりも小さいと、上記ダイアフラムが上記上限板の方に移動した際、途中で上記ダイアフラムが円筒部材に接触し、それ以降は、円筒部材の内側の液体のみを押し出すので、上記ダイアフラムにより排除される液の量が少なくなる。従って、注液量をより少ない量まで調整することができる。
【００１２】
本発明の注液ボトルにおいて、上記底蓋には、空気孔が設けられていることが望ましい。
本発明の注液ボトルにおいて、上記底蓋に空気孔が設けられていると、底蓋とダイアフラムとの間の空間に空気が自由に出入りすることができ、ダイアフラムがより移動し易いため、より正確に決まった量の液体を注液することができる。
【発明の効果】
【００１３】
本発明の注液ボトルによれば、注液ボトルの注液口を下に向けて、他の容器等に注液すると、常に一定量の液を注液することができ、計量目盛りで計測する手間が無く、また、蓋や手に液体が付着して不快になることが無いなどの顕著な効果を奏する。
【図面の簡単な説明】
【００１４】
【図１】図１は、本発明の注液ボトルの一例を模式的に示す縦断面図である。
【図２】図２（ａ）は、底蓋を模式的に示す平面図であり、図２（ｂ）は、図２（ａ）に示す底蓋のＡ−Ａ線断面図である。
【図３】図３（ａ）は、ダイアフラムを模式的に示す平面図であり、図３（ｂ）は、図３（ａ）に示したダイアフラムのＢ−Ｂ線断面図である。
【図４】図４（ａ）は、ダイアフラムの直下に配置されるダイアフラム支持部材を模式的に示す平面図であり、図４（ｂ）は、図４（ａ）に示したダイアフラム支持部材のＣ−Ｃ線断面図である。
【図５】図５（ａ）は、上限板を模式的に示す平面図であり、図５（ｂ）は、図５（ａ）に示す上限板のＤ−Ｄ線断面図である。
【図６】図６は、図１に示した注液ボトルを使用して他の容器に注液している様子を模式的に示す説明図である。
【発明を実施するための形態】
【００１５】
以下、本発明の注液ボトルについて具体的に説明する。しかしながら、本発明は、以下の実施形態に限定されるものではなく、本発明の要旨を変更しない範囲において適宜変更して適用することができる。
【００１６】
本発明の注液ボトルは、上部に注液口を備え、下部に、伸縮性のダイアフラム、上記ダイアフラムと一部が接触した状態で上記ダイアフラムを支持する非伸縮性のダイアフラム支持部材、上記ダイアフラムの可動範囲を規制する上限板及び底蓋を備えた注液ボトルであって、上記ダイアフラムは、内部の液体が保持可能なように、上記下部の全面に設けられ、上記底蓋には、上記ダイアフラム及び上記ダイアフラム支持部材の位置を調整するための調整ネジが設けられ、上記上限板には、液体が流通可能な貫通孔が設けられていることを特徴とする。
【００１７】
以下、本発明の注液ボトルの一実施形態について説明する。
図１は、本発明の注液ボトルの一例を模式的に示す縦断面図である。
【００１８】
図１に示すように、本発明の実施形態に係る注液ボトル１０は、略円筒形状の注液ボトル本体１１と、注液ボトル本体１１の上部に設けられた注液口１２と、注液ボトル本体１１の下部の全面に設けられた伸縮性のダイアフラム１３と、ダイアフラム１３の直ぐ下に設けられ、ダイアフラム１３と接触した状態でダイアフラム１３を支持する非伸縮性のダイアフラム支持部材１４と、ダイアフラム１３の上に設けられ、ダイアフラム１３の可動範囲を規制する上限板１５と、注液ボトル本体１１の最下部に設けられた底蓋１６と、注液ボトル本体１１の最上部に設けられた上蓋１７とから構成されている。
【００１９】
図２（ａ）は、底蓋を模式的に示す平面図であり、図２（ｂ）は、図２（ａ）に示す底蓋のＡ−Ａ線断面図である。
図２（ａ）及び（ｂ）に示すように、底蓋１６は、有底円筒形状をなす底蓋本体１６ａと、底蓋本体１６ａの上部に形成された円環形状の鍔部１６ｂと、底蓋本体１６ａより少し径が大きい円筒形状で、中ほどの位置で鍔部１６ｂと接合された外筒部１６ｃとからなり、外筒部１６ｃの上部内側にはネジが切られている。図１に示すように、注液ボトル本体１１の下部の外側にもネジが切られており、底蓋１６を注液ボトル本体１１の下部にネジ込むことにより、底蓋１６を注液ボトル本体１１に装着することができるように構成されている。
【００２０】
また、底蓋１６には、気体が流通可能な４つの貫通孔１６ｄが設けられるとともに、その中央に、調整ネジ１８を装着するための調整ネジ装着部１６ｅが設けられ、調整ネジ１８が装着されている。貫通孔１６ｄの数は、４つに限定されず、１つ以上あればよい。また、貫通孔の大きさも限定されず、空気が自由に流通できる大きさであればよい。底蓋１６に貫通孔１６ｄが設けられているので、ダイアフラム１３と底蓋１６との間の空間に自由に空気が出入りでき、注液の際にも、ダイアフラム１３が自由に移動可能である。
【００２１】
調整ネジ１８は、ボルト形状であり、調整ネジ装着部１６ｅにもネジが切られているため、調整ネジ１８を底蓋１６に装着し、調整ネジ１８を回転させることにより、調整ネジ１８が上下に移動し、中心部分が調整ネジ１８と接触するように設けられたダイアフラム支持部材１４及びダイアフラム１３の位置を調節することができる。
【００２２】
図３（ａ）は、ダイアフラムを模式的に示す平面図であり、図３（ｂ）は、図３（ａ）に示したダイアフラムのＢ−Ｂ線断面図である。
図３（ａ）及び（ｂ）に示すように、ダイアフラム１３は、注液ボトル本体１１の下部とほぼ同じ径の円形であり、調整ネジ１８とダイアフラム支持部材１４を介して接触する中心部分（図１参照）であって、調整ネジ１８の径より少し大きい径の中心部１３ａと、中心部１３ａより外側に拡がるとともに、少し下に凸の形状に湾曲した周辺部１３ｂと、最外周の外周部１３ｃとから構成されており、移動が可能なように伸縮性の材料から構成されている。
【００２３】
そして、底蓋１６を注液ボトル本体１１にねじ込む際、底蓋１６の鍔部１６ｂと注液ボトル本体１１の最下部でダイアフラム１３の外周部１３ｃを挟み込むことにより、ダイアフラム１３を注液ボトル本体１１に装着、固定する。
【００２４】
このため、注液ボトル本体１１に装着されたダイアフラム１３を有する注液ボトル本体１１に、液体を注入しても、ダイアフラム１３から下に液が漏れることはない。一方、底蓋１６には貫通孔１６ｄが形成されているので、底蓋１６とダイアフラム１３との間の空間は、空気が流通可能で、ダイアフラム１３の移動に支障は生じない。
【００２５】
図４（ａ）は、ダイアフラムの直下に配置されるダイアフラム支持部材を模式的に示す平面図であり、図４（ｂ）は、図４（ａ）に示したダイアフラム支持部材のＣ−Ｃ線断面図である。
ダイアフラム支持部材１４は、非伸縮性の部材からなり、図４（ａ）及び図４（ｂ）に示すように、平坦な中心部１４ａと中心部１４ａから斜め下側に拡がる拡大部１４ｂと、さらに拡大部１４ｂの周辺に拡がる平坦な形状の縁部１４ｃとからなる。
図１に示すように、ダイアフラム支持部材１４の直径は、およそダイアフラム１３の半分で、ダイアフラム１３の直下に位置し、中心部１４ａは、ダイアフラム１３の中心部１３ａとほぼ同じ大きさである。ダイアフラム支持部材１４の中心部１４ａとダイアフラム１３の中心部１３ａとは接着され、中心部同士が一体的に移動するように構成されている。
【００２６】
また、ダイアフラム支持部材１４は、ダイアフラム１３を下から支持し、移動の際のダイアフラム１３が変形しすぎるのを防止している。具体的には、ダイアフラム１３の周辺部１３ｂが、ダイアフラム支持部材１４の縁部１４ｃにより支持されている。
【００２７】
図５（ａ）は、上限板を模式的に示す平面図であり、図５（ｂ）は、図５（ａ）に示す上限板のＤ−Ｄ線断面図である。なお、図５に示す上限板は、注液ボトルに装着された状態とは、上下が逆になっている。
図５（ａ）及び（ｂ）に示すように、上限板１５は、円形の中心部１５ａと円環形状の縁部１５ｂとが中心から９０°の角度で放射状に拡がった４つの連結部１５ｃにより連結されており、中心部１５ａと縁部１５ｂとの間には、液体を流通させるための４つの大きな貫通孔１５ｄが形成されている。貫通孔１５ｄの大きさや形状も特には限定されず、液体が自由に流通できる大きさや形であればよい。また、貫通孔１５ｄの数も限定されず、１つ以上存在すればよい。上限板１５に貫通孔１５ｄが形成されているので、上限板１５とダイアフラム１３との間の空間に液体が自由に出入りでき、注液の際、ダイアフラム１３の移動が可能になる。
【００２８】
図１に示すように、上限板１５は、ダイアフラム１３及びダイアフラム支持部材１４の上部に配置され、ダイアフラム１３の可動範囲を下部に配置された調整ネジ１８とともに規制する役割を有している。すなわち、注液の際には、液が注液口１２を介して排出されるので、ダイアフラム１３は、調整ネジ１８の位置から上限板１５の方向に移動するが、ダイアフラム１３が上限板１５まで移動するとストップする。これにより一定量の液を注液することができる。すなわち、上限板１５は、ダイアフラム１３のストッパとなっており、注液の際には、ダイアフラム１３及びダイアフラム支持部材１４が、調整ネジ１８の位置から上限板１５の位置まで移動することにより、注液ボトル本体１１の内容量が一定量減少し、これに伴って、一定量の液が注液口１２を介して外側に排出され、常に一定量の液を注液することができる。
【００２９】
ダイアフラム１３は、伸縮性の材料からなるので、注液ボトル本体１１内部の圧力により、伸縮の程度が異なり、注液ボトル本体１１の内容量の変化の程度が変動するおそれがある。そのため、ダイアフラム１３のすぐ下に、非伸縮性のダイアフラム支持部材１４が設けられ、ダイアフラム１３の移動に追随して移動し、内容量の変化が一定になるようにしている。
【００３０】
また、図５（ａ）及び図５（ｂ）に示すように、上限板１５の下側（図５（ｂ）では上側）、すなわちダイアフラム１３側の２箇所に、注液ボトル１０の吐出液量を調整するための円筒部材１５ｅ、１５ｆが同心円状に配設されている。２つの円筒部材は、お互いに径が異なっており、内側の円筒部材１５ｅは、外側の円筒部材１５ｆと比べて、その高さが低い。なお、図１に示すように、ダイアフラム支持部材１４の外周部分は、外側の円筒部材１５ｆより内側に存在している。
上限板１５の下側に設けられた２つの円筒部材１５ｅ、１５ｆにより吐出液量を調整することができるのは、以下のようなメカニズムによる。
すなわち、底蓋１６に設けられた調整ネジ１８を回転させ、調整ネジ１８を上昇させると、ダイアフラム１３が上昇して外側の円筒部材１５ｆに近づいていき、ほぼ接触する状態となる。この状態で注液を行う際、外側の円筒部材１５ｆより外側のダイアフラム１３の位置は、変動しにくいので、ダイアフラム１３の移動で、外側の円筒部材１５ｆの内側の部分の容量のみ変化し、吐出される液量が少なくなる。ダイアフラム支持部材１４の外周部分は、外側の円筒部材１５ｆより内側に存在しているので、ダイアフラム１３の移動がダイアフラム支持部材１４により妨げられることもない。
内側の円筒部材１５ｅにダイアフラム１３が近づいた場合にも、同様の理由により、さらに吐出される液量が少なくなる。このように、上限板１５に円筒部材１５ｅ、１５ｆが設けられることにより、液量をより少ない量まで調整することができる。円筒部材の数は、特に限定されず、１つであっても、３つであってもよい。
【００３１】
注液ボトル本体１１、上蓋１７、底蓋１６及びダイアフラム支持部材１４の材質は特に限定されるものではなく、金属製であってもよく、樹脂製であってもよいが、通常、ボトル等に用いられるポリエチレン（ＰＥ）、ポリプロピレン（ＰＰ）、アクリロニトリル・スチレン（ＡＳ）、ポリエチレンテレフタレート（ＰＥＴ）、ポリスチレン（ＰＳ）、ポリメチルペンテン（ＴＰＸ）等からなる樹脂製のものが好ましく、一定量の液体の注液を可能にするためには、変形しにくいものが好ましい。
【００３２】
一方、ダイアフラム１３は、伸縮が可能な高弾性を有するものが好ましく、その材料としては特に限定されるものでないが、エラストマー、合成ゴム等が挙げられる。合成ゴムの材料としては、フッ素ゴム、クロロプレンゴム、クロロスルホン化ポリエチレン等の耐薬品性を有するゴムが挙げられるが、その他、ブタジエンゴム、イソプレンゴム、スチレンブタジエンゴム等のゴムを用いてもよい。熱可塑性エラストマーを用いてもよい。
【００３３】
また、本発明の注液ボトルの形態に関し、本発明の注液ボトルの形状は、円筒型、円錐型、多角形型、三角錐、四角錐等、任意に選択することができる。また、本発明の注液ボトルのサイズについても、任意に選択することができる。
【００３４】
次に、実際に注液を行う際の注液ボトルの動作について説明する。
図６は、図１に示した注液ボトル１０を使用して他の容器に注液している様子を模式的に示す説明図である。
まず、注液ボトル１０を図６に示すように傾け、注液口１２より液１００を吐出させる状態にし、容器１２０に対する注液を開始すると、ダイアフラム１３及びダイアフラム支持部材１４は、図６に示すように上限板１５の方向に移動する。そして、ダイアフラム１３の中心部１３ａが上限板１５に接触する位置まで移動すると、注液口１２からの液１００の吐出が終了し、注液が終了する。
【００３５】
注液の際、ダイアフラム１３の中心部１３ｃは、ダイアフラム支持部材１４の中心部１４ａを介して、調整ネジ１８の頭に接触した状態から上限板１５に接触する位置まで移動し、この移動により、注液ボトル本体１１の容量が、一定の量減少するので、減少した量と同じ量の液１００が吐出されることとなる。調節ネジ１８の位置が同じであれば、容量の減少量も同じであるので、常に同じ量、注液することができる。また、調整ネジ１８の位置を移動させることにより、注液量を調節することができる。
さらに、調整ネジ１８の位置を、ダイアフラム１３が円筒部材１５ｆ又は円筒部材１５ｅとほぼ接触する位置まで上昇させると、注液量がより少なくなり、少量の注液も可能となる。
【産業上の利用可能性】
【００３６】
本発明の注液ボトルは、食品の液体（醤油、酒、調味料など）の定量注液、洗剤（液体洗剤や液体入浴剤など）の定量注液、液体油脂類（工業油、薬液など）の定量注液など産業上多分野に利用できる。
【符号の説明】
【００３７】
１０  注液ボトル
１１  注液ボトル本体
１２  注液口
１３  ダイアフラム
１３ａ  中心部
１３ｂ  周辺部
１３ｃ  外周部  
１４  ダイアフラム支持部材
１４ａ  中心部
１４ｂ  拡大部
１４ｃ  縁部
１５  上限板
１５ａ  中心部
１５ｂ  縁部
１５ｃ  連結部
１５ｄ  貫通孔
１５ｅ、１５ｆ  円筒部材
１６  底蓋
１６ａ  底蓋本体
１６ｂ  鍔部
１６ｃ  外筒部
１６ｄ  貫通孔
１６ｅ  調整ネジ装着部
１７  上蓋
１８  調整ネジ
【図１】
0006592280.tif 000002
【図２】
0006592280.tif 000003
【図３】
0006592280.tif 000004
【図４】
0006592280.tif 000005
【図５】
0006592280.tif 000006
【図６】
0006592280.tif 000007